(57)【要約】【課題】外付けの液晶部を備えたコントローラーとイヤホンで携帯電話機の表示部を確認しなくても即座に電話に出られ、また受信メールの確認をできるようにすること。【解決手段】携帯電話１と制御信号の送受信が可能な液晶コントローラー２と音声信号が送受信可能なハンズフリーイヤホン５を接続し、液晶コントローラー２に内蔵された切り替えスイッチ５により通話ができるようにする。液晶コントローラー２は、携帯電話からの制御信号により着信相手の電話番号を液晶コントローラー２に表示させることとメール着信を表示させる。【選択図】図１
2008182331.tif 000002
【特許請求の範囲】
【請求項１】
携帯電話機に接続される外付けのリモートコントローラー付イヤホンマイクであって、
前記携帯電話機からの制御信号を送受信できる入出部と、
音声着信があったことを表示する液晶表示部とを備え、
付属のハンズフリーマイクにより通話ができることを特徴とするリモートコントローラー付イヤホンマイク。
【請求項２】
前記液晶表示部は電子メール着信があったことを表示する機能を有することを特徴とする請求項１記載のリモートコントローラー付イヤホンマイク。
【請求項３】
接続される外付けのリモートコントローラー付イヤホンマイクを有する携帯電話機であって、
前記リモートコントローラー付イヤホンマイクは、携帯電話機からの制御信号を送受信できる入出部と、音声着信があったことを表示する液晶表示部とを備え、付属のハンズフリーマイクにより通話ができることを特徴とする携帯電話機。
【請求項４】
前記液晶表示部は電子メール着信があったことを表示する機能を有することを特徴とする請求項３記載の携帯電話機。
【請求項５】
携帯電話機に接続される外付けのリモートコントローラー付イヤホンマイクにより前記携帯電話機からの制御信号を送受信し、音声着信があったことを表示し、付属のハンズフリーマイクにより通話することを特徴とする携帯電話機の使用方法。
【請求項６】
電子メール着信があったことを表示することを特徴とする請求項５記載の携帯電話機の使用方法。
【請求項７】
携帯電話機に請求項３または４記載の機能を実現させることを特徴とするプログラム。
【発明の詳細な説明】
【技術分野】
【０００１】
本発明は、携帯電話機の操作パネル部とイヤホンマイクを外部に接続し、遠隔で操作する技術に関する。
【背景技術】
【０００２】
従来のイヤホンマイクでは、携帯電話機とイヤホンマイクの間にスイッチ部を有し、音声着信の際に着信相手を確認するために携帯電話機の液晶表示部を確認しなければならず、不便であった。
【０００３】
また、類似オプションとして、携帯電話機に着信があった場合、携帯電話機が基地局と通信を行う上りの無線周波数を受信してバイブレーション機能を用いて相手に着信があったことを知らせる機器があったが、着信相手を確認するには携帯電話機の表示部を確認しなければならなかった。
【０００４】
ここで、携帯電話機本体と、リモート操作部とを備え、リモート操作部は、スイッチを有し、ワイヤーハーネスを介して携帯電話機本体に接続され、リモート操作部は、スイッチへの操作に応じて、携帯電話機本体からの着信音の発生をリモートで停止させ、携帯電話機本体が、鞄内に収納された状態であっても、リモート操作部を鞄内から外に出しておけば、リモート操作部への操作を素早く行うことができる技術が提案されている（例えば、特許文献１参照）。
【特許文献１】特開２００１−１５６８９０号公報
【発明の開示】
【発明が解決しようとする課題】
【０００５】
しかしながら、従来、携帯電話機に音声着信やメール受信があった場合、上着のポケットなどに入れていた場合、バイブレーター機能等により気づくことが多く、その度に上着のポケットから取り出して確認することが多く迅速な対応をすることができないという問題点があった。
【０００６】
本発明は、以上説明した問題点を解決するためになされたものである。その目的は、携帯電話機のメール受信の確認や音声着信を液晶コントローラー部で素早く確認することができ、面倒な操作を必要としないハンズフリー通話を実現することである。
【課題を解決するための手段】
【０００７】
本発明は、携帯電話機に接続される外付けのリモートコントローラー付イヤホンマイクであって、
携帯電話機からの制御信号を送受信できる入出部と、
音声着信があったことを表示する液晶表示部とを備え、
付属のハンズフリーマイクにより通話ができるリモートコントローラー付イヤホンマイクを提供する。
【０００８】
また、本発明は、接続される外付けのリモートコントローラー付イヤホンマイクを有する携帯電話機であって、
リモートコントローラー付イヤホンマイクは、携帯電話機からの制御信号を送受信できる入出部と、音声着信があったことを表示する液晶表示部とを備え、付属のハンズフリーマイクにより通話ができる携帯電話機を提供する。
【０００９】
また、本発明は、携帯電話機に接続される外付けのリモートコントローラー付イヤホンマイクにより携帯電話機からの制御信号を送受信し、音声着信があったことを表示し、付属のハンズフリーマイクにより通話する携帯電話機の使用方法を提供する。
【発明の効果】
【００１０】
本発明によれば、携帯電話機のメール受信の確認や音声着信を液晶コントローラー部で素早く確認することができ、面倒な操作を必要としないハンズフリー通話を実現することができる。
【発明を実施するための最良の形態】
【００１１】
以下、本発明の実施の形態について図面を参照して詳細に説明する。
【００１２】
図１は、本発明の実施の形態を示す構成図である。
【００１３】
本発明の第１の実施の形態の液晶コントローラー２は、ＬＣＤ等をもつ液晶部２、テンキー等の指示入力部をもつ切り替えスイッチ５、上着等に取り付けるクリップ６、音声を外部マイクに出力するハンズフリーマイク３、携帯電話機と制御信号、音声信号を送受する通信ケーブル７で構成されている。
【００１４】
次に、本実施の形態の動作について詳細に説明する。
【００１５】
図２は、本実施の形態の液晶コントローラー２のブロック図となり、これを参照して説明する。
【００１６】
音声着信があった場合、携帯電話機に接続された通信ケーブル７より、液晶コントローラー２の音声信号と制御信号分離部１に信号が入力される。
【００１７】
入力された信号は、ここで分離され、メールの制御信号の場合、制御部２へ出力され、制御部は携帯電話機１のメモリー部へ問い合わせを行い、液晶部４にメール着信があったことを表示される。
【００１８】
音声信号の場合、制御部２に届いた信号は、制御部２は図１携帯電話機１のメモリー部へ問い合わせを行い、液晶部４に着信相手の電話番号を表示させ、ユーザーは図切り替えスイッチ５を押下することにより、制御部３は音声信号を音声信号入出部４に出力するよう制御信号分離部１に指示する。
【００１９】
これにより図１のハンズフリーマイク部３に音声が出力される。
【００２０】
なお、上述する各実施の形態は、本発明の好適な実施の形態であり、本発明の要旨を逸脱しない範囲内において種々変更実施が可能である。例えば、携帯電話機の機能を実現するためのプログラムを装置に読込ませて実行することにより装置の機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線などを介して伝送波により他のコンピュータシステムに伝送されてもよい。
【図面の簡単な説明】
【００２１】
【図１】本発明の実施の形態のシステム構成を示す構成図である。
【図２】本発明の実施の形態の液晶コントローラーの内部ブロック図である。
【符号の説明】
【００２２】
１    携帯電話機
２    液晶コントローラー
３    ハンズフリーマイク
４    液晶表示部
５    切り替えスイッチ
６    クリップ
７    通信ケーブル
【図１】
2008182331.tif 000003
【図２】
2008182331.tif 000004